(57)【特許請求の範囲】
【請求項１】
ハイパーリンク構造を有するファイルオブジェクトを保持する不特定多数のサーバコンピュータと、該ファイルオブジェクトを閲覧する特定クライアントコンピュータがネットワーク接続された環境下で、特定クライアントコンピュータからのアクセス先としての不特定多数のサーバコンピュータへのアドレスを選択的に表示するネットワーク情報の表示方法において、
上記特定クライアントコンピュータからネットワークを介してアクセスされたファイルオブジェクトのＵＲＬをリンク先に有する参照元ＵＲＬを記憶し、
当該参照元ＵＲＬに対して上記ファイルオブジェクトのアクセス頻度に基づいた重要度指数を割り当て、
閲覧時に上記参照元ＵＲＬのデータが前回アクセス時から更新されていることを検出すると、
更新が検出されたデータの上記参照元ＵＲＬのみを上記重要度指数順に並べ、更新されたことを検出結果として上記参照元ＵＲＬに付随させて上記特定クライアントコンピュータで表示することを特徴とするネットワーク情報の表示方法。
【請求項２】
閲覧時に上記参照元アドレスのデータから前回アクセス時に対する新規ハイパーリンクの出現を検出し、上記新規ハイパーリンクが張られた表示要素を検出結果として、該当するファイルオブジェクトへのハイパーリンクを張った状態で上記参照元アドレスに付随させて表示することを特徴とする請求項１に記載のネットワーク情報の表示方法。
【請求項３】
閲覧時に上記参照元アドレスのデータにイメージファイルにのみハイパーリンクが張られている箇所が存在し、上記イメージファイルに張られたハイパーリンクのアドレスが所定長さ以下であると判定した場合にのみ、上記イメージファイルへのハイパーリンクを新規ハイパーリンクと見なすことを特徴とする請求項２に記載のネットワーク情報の表示方法。
【請求項４】
閲覧時に上記参照元アドレスのデータから前回アクセス時と同一のハイパーリンクが張られた表示要素に対する変化を検出し、変化後の表示要素を検出結果として、該当するファイルオブジェクトへのハイパーリンクを張った状態で上記参照元アドレスに付随させて表示することを特徴とする請求項１ないし３のいずれかに記載のネットワーク情報の表示方法。
【請求項５】
上記参照元アドレスのそれぞれに対して表示する検出結果の数に上限を設け、検出結果の数が上限を越えた場合は、上限を越える検出結果が存在することをその詳細表示へのハイパーリンクを張った状態で上記特定クライアントコンピュータで表示することを特徴とする請求項２ないし４のいずれかに記載のネットワーク情報の表示方法。
【請求項６】
閲覧時に上記参照元アドレスのデータサイズを前回アクセス時のデータサイズと比較して所定値以上の差を有すると判定した場合にのみ、上記データの更新が行われていると見なすことを特徴とする請求項１ないし５のいずれかに記載のネットワーク情報の表示方法。
【請求項７】
上記重要度指数を、過去一定期間におけるユーザの閲覧履歴から決定することを特徴とする請求項１ないし６のいずれかに記載のネットワーク情報の表示方法。
【請求項８】
請求項１ないし７のいずれかに記載のネットワーク情報の表示方法をコンピュータに実行させるためのプログラムを格納したコンピュータ読み取り可能な記憶媒体。
【請求項９】
請求項８に記載の記憶媒体から上記プログラムを読み込んで実行することを特徴とするコンピュータ。
【発明の詳細な説明】
【０００１】
【発明の属する技術分野】
本発明は、例えばサーバコンピュータとクライアントコンピュータとがネットワークで結ばれたシステムにおいて、サーバコンピュータ上にあるハイパーリンク構造をもったファイルオブジェクトをクライアントコンピュータ上において閲覧する際に、アクセス先候補のアドレスを選択的に表示するネットワーク情報の表示方法に関するものである。
【０００２】
【従来の技術】
昨今、複数のサーバコンピュータおよび複数のクライアントコンピュータがネットワークで結ばれ、各サーバコンピュータにハイパーテキスト構造のマルチメディアデータが記憶されており、各クライアントコンピュータにおいて、ブラウザと呼ばれるソフトウェアによって、このようなハイパーテキストを閲覧することが可能なシステムが広く普及している。このようなシステムの例としては、例えば、インターネットにおけるＷＷＷ（World Wide Web）と呼ばれるシステムなどが挙げられる。
【０００３】
マルチメディアデータを含む文書（以下、ハイパーテキストと称する）は、例えばＨＴＭＬ（Hyper Text Markup Language）と呼ばれる記述言語によって記述されており、テキスト文書、静止画、動画、音楽データ、およびＪａｖａ（登録商標）アプレットなどのアプリケーションプログラムなどを含むことが可能になっている。このようなハイパーテキストには、それぞれＵＲＬ(Uniform Resource Locator)と呼ばれる固有のアドレスが割り当てられている。ユーザは、ブラウザ上においてＵＲＬを指定することによって、所望のハイパーテキストにアクセスすることができる。また、ハイパーテキストには、他のページやマルチメディアデータへアクセスするためのハイパーリンク（以下リンクと称する）なども埋め込まれており、ユーザは、このリンクをブラウザ上でポイントすることによって、リンク先のハイパーテキストに移動することも可能となっている。
【０００４】
ＨＴＭＬではデータの性質や属性を表す多数のタグ情報が定義されている。タグの一例としてリンクを表す <a href="URL">アンカー文字列</a>  という形式があり、<a> で始まり</a>で閉じることによりリンク先のアドレスをＵＲＬで指定することができる。このようにリンクが張られたアンカー文字列をブラウザ上でポイントすると、そのＵＲＬのハイパーテキストを閲覧することができるようになっている。
【０００５】
クライアントコンピュータにおけるＨＴＭＬ表示ソフトウェアであるブラウザとしては、例えば、Netscape Communications 社のNetscape Communicator （登録商標）や、Microsoft 社のInternet Explorer （登録商標）などの製品が広く普及しており、様々なＯＳを搭載したコンピュータで動作している。これらのブラウザでは、アクセスしたハイパーテキストのＵＲＬ名称やアクセス日時、ＵＲＬの中身を代表するタイトルなどを、クライアントコンピュータ内のハードディスクに記憶することが可能になっている。この情報は履歴という名称で後日ユーザに提示され再利用される。
【０００６】
ハイパーテキストのページ数は世界的に指数関数的に増加する一方であり、通常、ユーザは上記の履歴を利用して一度閲覧したハイパーテキストのうち重要と考えるもののＵＲＬをブラウザのいわゆるブックマークに登録する。すなわち、ブックマークはアクセス先候補を選択的に表示するものであり、ユーザは、過去にアクセスしたハイパーテキストに後日再びアクセスしたい時に、このブックマークを参照することによって、容易に所望のハイパーテキストにアクセスすることができるようになっている。
【０００７】
しかし、ブックマークに登録されたＵＲＬ数も増加する一方であり、時間が経過してユーザが興味を失ったＵＲＬや不要なＵＲＬ、存在しなくなったＵＲＬなどがブックマークに氾濫するようになる。このため、ユーザは自分が興味を持っているＵＲＬのみをブックマークに残し、さらに残したＵＲＬを巡回して各ハイパーテキストに新規情報がないかどうかを目視で確認するという煩わしい作業が増加している。
【０００８】
そこで、例えばNetscape Communications 社のNetscape Navigator（登録商標）というブラウザでは、ブックマークに登録されたＵＲＬが前回アクセスした日付と比較して変化しているか否かを自動調査し、更新が検出されたＵＲＬにチェックマークを添えてユーザに提示するようにしている。これにより、ユーザは変化のあったＵＲＬを容易に知ることができるが、該当ＵＲＬのどの部分がどのように変化したかについては表示されないので、変化があったブックマーク上のＵＲＬが非常に多い場合、それらのＵＲＬにいちいちアクセスして目視で変化状況を確認しなければならない。
【０００９】
このような状況を改善するものとして、ハイパーテキストを自動で観測して変化状況を検出するとともに表示する新規リンク検出エージェントソフトウェアがある。公知の例として、“インターネットエージェント”（Fah-Chun Cheong 著，大野浩之監訳，インプレス販売，ISBN-8443-4921-X）第７章の“WebWalker:あなたのWeb メンテナンスロボット”において、ハイパーテキストの新規リンクの検出が可能なエージェントソフトウェアの例が掲載されている。その他、日本のAI Soft 社のWebWhatsNew （商品名）などの市販のソフトウェアがある。また、特開平10-222415 号公報にも類似の技術が開示されている。
【００１０】
これら新規リンク検出エージェントソフトウェアは、特定ＵＲＬのリンクをＵＲＬごとに集めたデータベースを有し、次回のアクセス時に前回のリンクと比較を行い、新しく出現したリンク、あるいはリンクが張られたアンカー文字列の変化を検出してユーザに提示するものである。この場合、観測対象のＵＲＬは、ユーザのブックマーク記載のものやユーザが手動で指定したものとなる。
【００１１】
なお、前述のタグとしては、ＸＭＬ（eXtensible Markup Language）のように独自に定義した拡張タグを使用することもできる。例えば、 http://www.sharp.co.jp/mebius.html というファイルオブジェクトの中で <price>200,000 円</price>  という<price> タグを独自に定義して、<price> タグで囲まれたアンカー文字列(200,000円）は製品の値段であると解釈するようにすれば、このアンカー文字列が変化して値下がりしているか否かを自動で確認するエージェントソフトウェアなども作ることができる。このことは、例えば日経インターネットテクノロジー（1999年 5月号, p82-89）の“ＸＭＬのビジネス利用始まる”に記載されている。
【００１２】
【発明が解決しようとする課題】
しかしながら、前述の新規リンク検出エージェントソフトウェアによる新規リンクの出現およびアンカー文字列の変化を含むハイパーテキストの更新の通知方法では、観測対象のＵＲＬがブラウザのブックマークに記載されたものなど固定的であり、ユーザが明示的に指定する必要があった。従って、ブックマークを観測対象のＵＲＬの情報源としてそこに登録された多数のＵＲＬを観測した場合、観測ＵＲＬが多すぎたり、過去にはユーザにとって有用であったが現在は不要となったＵＲＬをも観測してしまったりする。これにより、ハイパーテキストの更新の観測に時間がかかったり、観測結果に不要な情報が多数含まれるという問題が起こる。
【００１３】
観測対象のＵＲＬを絞り込む方法としては、以下のように幾つかが実施あるいは提案されている。例えばNetscape Communicator では、履歴データに基づいて、過去にアクセスしたハイパーテキストのＵＲＬを、頻度順、あるいは日時順などに並べ変えて表示することが可能となっている。さらに、例えば特開平10-143519 号公報には、ユーザが過去にアクセスしたＵＲＬに対して、頻度や視聴時間をもとに順序づけを行い、その結果を表示する方法および装置が開示されている。
【００１４】
また、例えば特開平9-204347号公報、特開平10-21134号公報には、サーバコンピュータとクライアントコンピュータとの間でＵＲＬの中継を行うゲートウェイコンピュータにおいて、ゲートウェイコンピュータに中継キャッシュが内蔵されている場合、過去に中継したＵＲＬに対して、その頻度の算出を行ってリストを作成するとともに、頻度順にゲートウェイコンピュータが自発的にキャッシュの更新を行う方法が開示されている。
【００１５】
これらの方式に共通する点としては、過去にアクセスしたハイパーテキストのＵＲＬに関して、その頻度に注目し、それらを統計処理することによって頻度を算出し、頻度の高いハイパーテキストは、ユーザにとっての重要度が高いと判断している点である。しかし、これらの場合のＵＲＬの重要度は、ハイパーテキストが多階層のツリー構造をなす場合に下位階層のファイルオブジェクトに対してもそのＵＲＬ単独でアクセス頻度を算出して決定されるものであるので、ユーザに対する真の重要度を反映したものとはならない。
【００１６】
例えば、あるハイパーテキストにおける参照元のアドレスを表すＵＲＬからリンクによってその１階層下のＵＲＬのファイルオブジェクトを３つ１回ずつ閲覧したときに、その３つのファイルオブジェクトのそれぞれのＵＲＬの重要度を１とすると、他のハイパーテキストにおける参照元のアドレスからリンクによってその下位階層のＵＲＬのファイルオブジェクトを１回閲覧したときの重要度と等しくなる。ところが前者のハイパーテキストは閲覧数の総和が３であるので、後者のハイパーテキストよりも重要であることが多い。
【００１７】
従って、前述のように選択したＵＲＬから新規リンク検出エージェントソフトウェアによってハイパーテキストの更新を検出しても、ユーザにとって重要なＵＲＬに対する検出が行われないことがある。さらに、下位階層のファイルオブジェクト中の新規リンクや変化アンカーを検出してしまうと、不必要に多数の情報が提供されることとなり、結果を効率的にユーザに提示したり、限られた情報表示スペースに表示することが困難になる。
【００１８】
また、ハイパーテキストにはイメージファイルにのみリンクを張ったアンカーもある。これがバナー広告と呼ばれるもので、そのＨＴＭＬによる書式の一例を図１４（ａ）に、ＨＴＭＬブラウザによる表示例を同図（ｂ）にそれぞれ示す。この例では、 http://ad.banner/banner.gif  という広告イメージファイルに広告用リンクが張られている。このバナー広告はアクセスごとにアンカーＵＲＬが異なり、上述のハイパーテキストの更新検出方法により、新規リンクとして検出されてしまう場合がある。従って、バナー広告のみが変化したハイパーテキストも更新されたものとして検出されることになり、ユーザに不要な情報が増加する一因となっている。
【００１９】
バナー広告を判別して検出対象としないようにするには、例えばINTERNET magazine （インプレス社，1999年 6月号p249）に紹介されているように、株式会社アイフォーのWebBooster Ninja（商品名）というWeb サーバアクセスソフトによって、広告イメージのはめ込まれているハイパーテキストが属するサーバコンピュータとは異なるドメインを有するイメージファイルを探すという方法がある。しかし、この方法では、広告イメージのはめ込まれているハイパーテキストと同一のサーバコンピュータに属するバナー広告のイメージファイルを判別することはできない。
【００２０】
本発明は上記の問題点を解決するためになされたもので、その目的は、ユーザにとって重要なアドレスをより的確に選択し、新規リンクの出現やアンカー文字列などの表示要素の変更などハイパーテキストの更新を検出して効率よく表示することができるネットワーク情報の表示方法、およびその方法をプログラムとして格納した記憶媒体ならびにそのプログラムを実行するコンピュータを提供することにある。
【００２１】
【課題を解決するための手段】
本発明のネットワーク情報の表示方法は、上記の課題を解決するために、ハイパーリンク構造を有するファイルオブジェクトを保持する不特定多数のサーバコンピュータと、該ファイルオブジェクトを閲覧する特定クライアントコンピュータがネットワーク接続された環境下で、特定クライアントコンピュータからのアクセス先としての不特定多数のサーバコンピュータへのアドレスを選択的に表示するネットワーク情報の表示方法において、上記特定クライアントコンピュータからネットワークを介してアクセスされたファイルオブジェクトのＵＲＬをリンク先に有する参照元ＵＲＬを記憶し、当該参照元ＵＲＬに対して上記ファイルオブジェクトのアクセス頻度に基づいた重要度指数を割り当て、閲覧時に上記参照元ＵＲＬのデータが前回アクセス時から更新されていることを検出すると、更新が検出されたデータの上記参照元ＵＲＬのみを上記重要度指数順に並べ、更新されたことを検出結果として上記参照元ＵＲＬに付随させて上記特定クライアントコンピュータで表示することを特徴としている。
【００２２】
上記の発明によれば、クライアントコンピュータからアクセスした複数のファイルオブジェクトが、ある参照元アドレスからハイパーリンクを利用して閲覧したものであった場合、それらファイルオブジェクトへのアクセス頻度に基づいてその参照元アドレスの重要度指数を割り当てる。例えば、参照元アドレスからハイパーリンクにより３つのファイルオブジェクトを１回ずつ閲覧した場合、この参照元アドレスの重要度指数を３とする。このように、下位階層のファイルオブジェクト単位ではなく、閲覧する度に用いる参照元アドレスに重要度指数を割り当てているので、あるハイパーテキストに対するユーザの重要度を最もよく反映することになる。
【００２３】
そして、次回の閲覧の際に、参照元アドレスのデータが前回アクセス時に取得したデータから更新されているか否かを判別する。参照元アドレスにアクセスしたときに得られるデータには、その下位階層のファイルオブジェクトへのハイパーリンクが張られていることが一般的であるので、新規ハイパーリンクの出現やアンカー文字列の変化などを読み取ることができる。参照元アドレスのデータが更新されていることを検出すると、上述のように定義した重要度指数の順に、更新されたデータの参照元アドレスのみを更新検出結果とともに表示する。従って、表示内容はユーザにとって重要なものに限られ、更新結果に不要なものが含まれる可能性は低くなる。以上により、ユーザにとって重要なアドレスをより的確に選択し、更新結果を効率よく表示することができる。
【００２４】
また、検出結果を携帯電話などの小型の携帯端末へ電子メールで送信する場合にも、メール本文の文字数が限られているのが普通であるので、最も重要なアドレスの新規リンクや変化アンカー文字列のみをメール受信者が閲覧することができるという利点がある。さらに、ハイパーリンク先読みソフトウェアを使用して検出結果を自動ダウンロードするようにすれば、ネットワークへの限られた接続時間でも重要度の高い情報を優先的に得ることができるので移動コンピュータにおいても有用である。
【００２５】
さらに本発明のネットワーク情報の表示方法は、上記の課題を解決するために、閲覧時に上記参照元アドレスのデータから前回アクセス時に対する新規ハイパーリンクの出現を検出し、上記新規ハイパーリンクが張られた表示要素を検出結果として、該当するファイルオブジェクトへのハイパーリンクを張った状態で上記参照元アドレスに付随させて表示することを特徴としている。
【００２６】
上記の発明によれば、参照元アドレスのデータに新規ハイパーリンクが出現していることを検出すると、そのハイパーリンクが張られた表示要素、例えばＨＴＭＬではアンカー文字列を、参照元アドレスとともに表示する。また、その表示には該当するファイルオブジェクトへのハイパーリンクを張っておく。これにより、ユーザは重要な参照元アドレスに出現した新規ハイパーリンクを容易に認識することができるとともに、そのファイルオブジェクトに迅速にアクセスを行うことができる。
【００２７】
さらに本発明のネットワーク情報の表示方法は、上記の課題を解決するために、閲覧時に上記参照元アドレスのデータにイメージファイルにのみハイパーリンクが張られている箇所が存在し、上記イメージファイルに張られたハイパーリンクのアドレスが所定長さ以下であると判定した場合にのみ、上記イメージファイルへのハイパーリンクを新規ハイパーリンクと見なすことを特徴としている。
【００２８】
上記の発明によれば、イメージファイルに張られたハイパーリンクのアドレスが所定長さを越えるときにはそのイメージファイルはバナー広告であるという性質を利用し、バナー広告が変化したものについてのハイパーリンクを新規ハイパーリンクとは見なさないようにする。これにより、ユーザにとって不要な情報をさらに削減することができる。
【００２９】
さらに本発明のネットワーク情報の表示方法は、上記の課題を解決するために、閲覧時に上記参照元アドレスのデータから前回アクセス時と同一のハイパーリンクが張られた表示要素に対する変化を検出し、変化後の表示要素を検出結果として、該当するファイルオブジェクトへのハイパーリンクを張った状態で上記参照元アドレスに付随させて表示することを特徴としている。
【００３０】
上記の発明によれば、参照元アドレスのデータに前回アクセス時と同一のハイパーリンクが張られており、かつその表示要素、例えばＨＴＭＬではアンカー文字列が変化していることを検出すると、変化後の表示要素を参照元アドレスとともに表示する。また、その表示には該当するファイルオブジェクトへのハイパーリンクを張っておく。これにより、ユーザは重要な参照元アドレスで変化した表示要素を容易に認識することができるとともに、そのファイルオブジェクトに迅速にアクセスを行うことができる。
【００３１】
さらに本発明のネットワーク情報の表示方法は、上記の課題を解決するために、上記参照元アドレスのそれぞれに対して表示する検出結果の数に上限を設け、検出結果の数が上限を越えた場合は、上限を越える検出結果が存在することをその詳細表示へのハイパーリンクを張った状態で上記特定クライアントコンピュータ表示することを特徴としている。
【００３２】
上記の発明によれば、新規ハイパーリンクや変化した表示要素が多数検出される場合に、それら全ての表示要素を表示するのではなく、上限を設けておいてそれを越える分についてはそれらが存在することを表示するようにする。また、上限を越える分についてもその詳細表示へのハイパーリンクを張った状態で表示する。これにより、多数の検出結果がある場合でもユーザは全てを見落とすことなく容易に目視で確認することができる。
【００３３】
さらに本発明のネットワーク情報の表示方法は、上記の課題を解決するために、閲覧時に上記参照元アドレスのデータサイズを前回アクセス時のデータサイズと比較して所定値以上の差を有すると判定した場合にのみ、上記データの更新が行われていると見なすことを特徴としている。
【００３４】
上記の発明によれば、参照元アドレスのデータサイズが前回アクセス時より所定値以上変化している場合にのみ、参照元アドレスのデータが更新されているものと見なす。従って、バナー広告のみが変化したり、閲覧する必要のない軽度の修正が施されただけの参照元アドレスのデータを効率よく検出対象から除外して無駄な情報提供をなくすことができるとともに、ハイパーリンクが張られていない箇所で大きな内容更新があった場合にこれを容易に認識することができる。
【００３５】
さらに本発明のネットワーク情報の表示方法は、上記の課題を解決するために、上記重要度指数を、過去一定期間におけるユーザの閲覧履歴から決定することを特徴としている。
【００３６】
上記の発明によれば、過去一定期間におけるユーザの閲覧履歴から参照元アドレスの重要度指数を決定するので、この一定期間を最近の何日かに設定するなどすれば、最近興味を持った参照元アドレスのみを検出対象とし、すでに興味が失せた過去の参照元アドレスの更新状況を通知しないようにすることができる。これにより、閲覧対象の経時変化が大きいユーザにとって重要度の高いアドレスをより的確に選択することが可能になる。
【００３７】
また、本発明の記憶媒体は、上記の課題を解決するために、上記ネットワーク情報の表示方法をコンピュータに実行させるためのプログラムを格納したことを特徴としている。
【００３８】
上記の発明によれば、前記ネットワーク情報の表示方法を、記憶媒体によってコンピュータが読み取り可能なプログラムとして格納する。従って、前記ネットワーク情報の表示方法はコンピュータで実行されることを前提にして提供され、汎用性の高いものとなる。
【００３９】
また、本発明のコンピュータは、上記の課題を解決するために、上記記憶媒体から上記プログラムを読み込んで実行することを特徴としている。
【００４０】
上記の発明によれば、前記記憶媒体から前記ネットワーク情報の表示方法のプログラムを読み込んで実行するシステムが構成されるので、ユーザにとって重要なアドレスをより的確に選択し、ハイパーテキストの更新を検出して効率よく表示することが実現できる。
【００４１】
【発明の実施の形態】
本発明の実施の一形態について図１ないし図１３に基づいて説明すれば、以下の通りである。
【００４２】
図１は、本実施の形態に係るコンピュータネットワークシステムの概略構成を示すブロック図である。該コンピュータネットワークシステムは、サーバコンピュータ１、電子メールサーバコンピュータ２、およびクライアントコンピュータ３とを備えている。ここでは、サーバコンピュータ１とクライアントコンピュータ３とがインターネットの標準プロトコル群であるＴＣＰ／ＩＰによるネットワークで結ばれており、クライアントコンピュータ３がインターネット標準のＨＴＴＰ(Hyper Text Transfer Protocol)でサーバコンピュータ１のファイルオブジェクトにアクセス可能であるものとする。また、ファイルオブジェクトのアドレスはＵＲＬで指定されるものとする。
【００４３】
サーバコンピュータ１は、ＨＴＭＬページや各種マルチメディアデータからなるハイパーテキストを保持しており、例えばＨＴＴＰデーモンと呼ばれるサーバソフトウェアによって、これらのデータの管理、および外部コンピュータからのアクセスの管理を行っている。なお、同図において、サーバコンピュータ１は１つしか図示されていないが、サーバコンピュータ１としては、インターネット上に存在する無数のサーバコンピュータが該当することになる。また、電子メールサーバコンピュータ２は、電子メール受信用のサーバコンピュータおよび送信用のサーバコンピュータからなり、それぞれＰＯＰ（Post Office Protocol）、ＳＭＴＰ（Simple Mail Transfer Protocol ）などのプロトコルにより電子メールの送受信を制御している。
【００４４】
クライアントコンピュータ３は、サーバコンピュータ１が提供するＨＴＭＬ形式のハイパーテキストを通常のテキスト形式で表示するブラウザ２７を備えており、ユーザはこのクライアントコンピュータ３上においてブラウザ２７を操作することによって、所望のハイパーテキストを閲覧することができるようになっている。
【００４５】
図３に、クライアントコンピュータ３のハードウェアの概略構成を示す。同図に示すように、クライアントコンピュータ３は、ＣＰＵ(Central Processing Unit) １２、ＲＡＭ(Random Access Memory)などで構成されるメモリ１３、ハードディスクやフラッシュメモリなどで構成される不揮発性メモリ１４、外部ネットワークとのインターフェースとなるネットワークＩ／Ｏ(Input/Output)１５、キーボードやマウスなどで構成される入力装置１６、および表示装置１７を備えており、これらがバス１８によって接続されている。このような構成のクライアントコンピュータ３は、一般的にパーソナルコンピュータと呼ばれるコンピュータによって構成されることになる。
【００４６】
前記ブラウザ２７は不揮発性メモリ１４に格納されており、入力装置１６の操作によりサーバコンピュータ１からネットワークＩ／Ｏ１５を介してメモリ１３に取り込んだハイパーテキストを、表示装置１７に表示するようになっている。また、本実施の形態に係るネットワーク情報の表示方法も、クライアントコンピュータ３による読み取りおよび実行が可能なプログラムとして不揮発性メモリ（記憶媒体）１４に格納されている。従って、このネットワーク情報の表示方法はコンピュータで実行されることを前提にして提供され、汎用性の高いものである。以下にそのプログラムからなるソフトウェアの構成について説明する。
【００４７】
このソフトウェアはクライアントコンピュータ３が過去にアクセスを行ったハイパーテキストがサーバコンピュータ１上で更新されたことを検出し、図１２（ｂ）に示すように検出結果がユーザにとって重要なＵＲＬの順番に表示装置１７に表示されるようブラウザ２７に出力するものである。以後、このソフトウェアを更新情報提示ソフトウェア１１と呼ぶ。更新情報提示ソフトウェア１１は、図１に示すように情報源ＵＲＬソート部１１ａ、ネットワークファイルアクセス部１１ｂ、ファイル比較部１１ｃ、タグ情報変化検出部１１ｄ、出力整形部１１ｅ、および電子メール出力部１１ｆから構成される。
【００４８】
情報源ＵＲＬソート部１１ａは、以下に述べる方法で作成された情報源ＵＲＬリスト２１を基に、情報源ＵＲＬを重要度指数順にソートする。クライアントコンピュータ３の不揮発性メモリ１４には、過去にアクセスを行ったファイルオブジェクトのＵＲＬをリンク先に有する参照元ＵＲＬに対し、ファイルオブジェクトへのアクセス数を重要度指数として割り当てて作成した情報源ＵＲＬリスト２１が格納されている。
【００４９】
例えば図４は、前回の閲覧時にあたる２月２３日に、ハイパーテキストの参照元ＵＲＬである http://www.news/ からリンクを利用して下位階層に存在する５つのファイルオブジェクト（この場合は全てテキストデータ）へ１回ずつのアクセス、また参照元ＵＲＬである http://www.hello.nara/ からリンクを利用して別のサーバコンピュータ上の下位階層に存在する３つのファイルオブジェクト（この場合は動画情報とテキストデータ）へ１回ずつのアクセス、さらに参照元ＵＲＬである http://web.sharp/  に存在するデータへ３回のアクセスを行ったことを示している。
【００５０】
このとき、下位階層のファイルオブジェクトへのアクセス数の合計、および参照元ＵＲＬのデータそのものへのアクセス数をその参照元ＵＲＬで代表されるハイパーテキストに対するアクセス頻度と考え、それをその参照元ＵＲＬ、すなわち情報源ＵＲＬの重要度指数と決定する。従って、図４に対応する情報源ＵＲＬリスト２１は図６のように作成され、以前に作成された情報源ＵＲＬリスト２１に追加される。このように、本実施の形態では、ユーザにとって重要なＵＲＬが統計的に抽出される。
【００５１】
情報源ＵＲＬの重要度指数は、過去一定期間におけるユーザの閲覧履歴から決定するようにしてもよい。この一定期間を最近の何日かに設定するなどすれば、最近興味を持った参照元ＵＲＬのみを検出対象とし、すでに興味が失せた過去の参照元ＵＲＬの更新状況を通知しないようにすることができる。これにより、閲覧対象の経時変化が大きいユーザにとって重要度の高いＵＲＬをより的確に選択することが可能になる。また、重要度指数はテキストデータ、動画データ、音楽データなどのデータタイプごとに決定することもできる。
【００５２】
情報源ＵＲＬソート部１１ａは次回の閲覧時に、前記追加後の情報源ＵＲＬリスト２１を用いて情報源ＵＲＬを重要度指数順にソートし、さらにソート結果から情報源ＵＲＬを重要度指数の大きい方から数えて一定数以下となるように選択する。そして、これをハイパーテキストの更新を検出する観測対象ＵＲＬリスト２２として、重要度指数とともにメモリ１３に一時記憶させる。
【００５３】
ネットワークファイルアクセス部１１ｂは、観測対象ＵＲＬリスト２２に含まれる全ての観測対象ＵＲＬに対して重要度指数順にサーバコンピュータ１にアクセスを行い、ＨＴＴＰ応答ヘッダと応答ボディとを取得してメモリ１３に一時記憶させる。観測対象ＵＲＬへのアクセスを行う際には、ＵＲＬのドメインネーム部で示されるサーバコンピュータ１、この場合はＷｅｂサーバコンピュータに対してＴＣＰ／ＩＰのコネクションがオープンされ、図７で示されるような要求ヘッダが発行される。ここで、ＵＲＬが http://www.news/index.html ならドメインネーム部は www.news であり、ファイル名は index.html である。この要求に対するサーバコンピュータ１の応答は、図８に示すようなＨＴＴＰ応答ヘッダと応答ボディとからなる。この応答は、ＵＲＬデータベース２３としてメモリ１３に一時記憶される。
【００５４】
ファイル比較部１１ｃは、観測対象ＵＲＬをキーにして検索することのできるＵＲＬデータベース２３を参照する。そして、該ＵＲＬデータベース２３が存在する、つまりサーバコンピュータ１から応答があった観測対象ＵＲＬに対して、ＵＲＬデータベース２３を図９に示すようなＨＴＴＰヘッダ部とハイパーリンクアンカー部とからなるデータに展開し、分解データベース２４としてメモリ１３に一時記憶させる。次いで、前回のアクセス時に取得し不揮発性メモリ１４に格納しておいた図１０に示す同一ＵＲＬの分解データベース２４’をメモリ１３に読み出して、分解データベース２４と比較する。
【００５５】
分解データベース２４と分解データベース２４’とを比較して、“Last-Modified:”フィールドに記載されたファイル最終変更時刻が変わっているか、または“Content-length: ”フィールドにファイルサイズ（データサイズ）がバイト数表示などで記載されているのでこのファイルサイズが閾値として定めた所定バイト数以上変わっているかすれば、観測対象ＵＲＬのファイルの内容に変化があったとする。なお、ファイルサイズから変化を判定するときに、ＨＴＴＰ応答ヘッダに“Content-length: ”フィールドがない場合は、観測対象ＵＲＬのファイルサイズを自ら計測し、“Content-length: ”として記載するようにすることも可能である。比較の結果、変化があれば、メモリ１３中に作成した図１１に示すような新規情報データベース２５にその情報源ＵＲＬの欄を設け、変化フィールドに“true”を書き込む。
【００５６】
タグ情報変化検出部１１ｄは、分解データベース２４と分解データベース２４’とを比較して、新しいアンカー文字列（表示要素）が出現しているか、すなわち新規リンクが出現しているか、またはアンカー文字列（表示要素）が変化しているかというリンクに関連したタグ情報の変化を検出する。そして、新規リンクあるいは変化アンカー文字列が検出された場合に、観測対象ＵＲＬをキーにして新規情報データベース２５を検索したときに情報源ＵＲＬの欄が設けられているものについては、図１１に示すように、新規情報データベース２５に新規リンクのアンカー文字列および変化アンカー文字列をそれらのリンク先ＵＲＬと組にして書き込む。また、アクセスを行ってサーバコンピュータ１から応答のあった観測対象ＵＲＬのＵＲＬデータベース２３を不揮発性メモリ１４に保存する。
【００５７】
ただし、アンカー文字列がイメージタグ（例えば <img src=“  ”> という画像の張り込みを示すＨＴＭＬタグ）のみの場合は、タグ情報変化検出部１１ｄはアンカーＵＲＬの長さが変数BANLEN（＝８０）以下であると判定した場合にのみ新規リンクと見なす。これは通常アクセスごとにＵＲＬが変化するバナー広告において該ＵＲＬの長さが８０バイトを越える長大なものが多いという現在のインターネットのデータ観測に基づいて決定した閾値である。これにより、該当観測対象ＵＲＬの内容に変化がないのにバナー広告のみが変化した場合を変化として検出しないようにし、ユーザにとって不要な情報を極力削減する。従来の技術で述べた図１４（ａ）のバナー広告の例ではＵＲＬの長さが８０バイトを越えるが、 <a href= と</a>とで囲まれたアンカーは<img> タグのみであるので排除可能である。
【００５８】
出力整形部１１ｅは、ファイル比較部１１ｃとタグ情報変化検出部１１ｄとにより作成された新規情報データベース２５の内容を、重要度指数順にＨＴＭＬ形式のファイルに整形し、図１２（ａ）に示すような出力ＨＴＭＬ２６としてブラウザ２７に供給する。このとき、情報源ＵＲＬのそれぞれに現れた新規リンクおよび変化アンカー文字列は、その情報源ＵＲＬの直後にリンクを張った状態で記載する。また、新規情報データベース２５で新規リンクおよび変化アンカー文字列が存在せずに変化フィールドが“true”である場合には、“（情報源ＵＲＬ）は更新されています。”を出力するものとする。
【００５９】
電子メール出力部１１ｆは、出力整形部１１ｅで作成され、予め不揮発性メモリ１４に記憶させておいた出力ＨＴＭＬ２６を電子メールサーバコンピュータ２に送出する。電子メール送信時は、複数のアドレスへ送ったり、送り先アドレスにより出力ＨＴＭＬ２６の整形方法を変えたりすることもできる。後者の場合、例えば携帯電話など小型の携帯端末向けの電子メールでは、ＨＴＭＬ形式ではなく、通常のテキスト形式に変換して文字だけにしたり、予め指定した改行数で改行したりすることが可能である。
【００６０】
次に、上記の構成の更新情報提示ソフトウェア１１による更新情報の提示手順について、図２のフローチャートを参照しながら説明する。
【００６１】
まずハイパーテキストの閲覧を開始するためのブラウザ２７の起動とともに更新情報提示ソフトウェア１１が立ち上げられ、Ｓ１で情報源ＵＲＬソート部１１ａにより不揮発性メモリ１４から情報源ＵＲＬリスト２１がメモリ１３に読み込まれて重要度指数順に情報源ＵＲＬがソートされる。このときの情報源ＵＲＬリスト２１は、図４に示すような前回の閲覧時（２月２３日）のアクセスに用いた３種類の参照元ＵＲＬ（情報源ＵＲＬ）が追加されて作成されたものであり、各情報源ＵＲＬの重要度指数は図６のように決定されているとする。続いてＳ２で情報源ＵＲＬソート部１１ａにより重要度指数の大きい順に一定数MAXSEARCH （ここでは３０）以下となるように観測対象ＵＲＬが選択され、選択された観測対象ＵＲＬからなる観測対象ＵＲＬリスト２２が作成されて、重要度指数とともにメモリ１３に一時記憶される。
【００６２】
Ｓ２の結果、前回の閲覧時に用いた３種類の情報源ＵＲＬが観測対象ＵＲＬとして選択されたとし、これら情報源ＵＲＬを情報源ＵＲＬ[I] （Ｉは重要度指数の大きい順に０，１，２）と表して各情報源ＵＲＬ[I] のデータをサーバコンピュータ１から取得する。Ｓ３でまずＩ＝０とし、ネットワークファイルアクセス部１１ｂにより http://www.news/ へアクセスを行い、サーバコンピュータ１から情報源ＵＲＬ[0] のデータとして図８に示すＨＴＴＰ応答ヘッダと応答ボディとが送られると、これがＵＲＬデータベース２３としてメモリ１３に一時記憶される。このＵＲＬデータベース２３は図５に示すような今回の閲覧時（２月２４日）のハイパーリンク構造に対応している。
【００６３】
そしてＳ４で、ファイル比較部１１ｃによりＵＲＬデータベース２３が図９に示すようなＨＴＴＰヘッダ部とハイパーリンクアンカー部とに展開され、これが分解データベース２４としてメモリ１３に一時記憶される。さらにファイル比較部１１ｃにより、前回のアクセス時に得られ不揮発性メモリ１４に格納されていた図１０に示す同一ＵＲＬの分解データベース２４’がメモリ１３に読み出されて、そのファイル内容が分解データベース２４のファイル内容から更新されているか否かが検出される。
【００６４】
このとき、分解データベース２４の“Last-Modified:”フィールドに記載されたファイル最終変更時刻が分解データベース２４’のものから変わっていることから、観測対象ＵＲＬのファイル内容が更新されたと判定することができる。あるいは、“Content-length: ”フィールドに記載されたファイルサイズが変わっていることからも同判定が可能である。ファイルサイズで判定する際には、所定バイト数以上変化している場合にのみ、観測対象ＵＲＬのファイル内容が更新されているものと見なすことにするとよい。このようにすれば、バナー広告のみが変化したり、閲覧する必要のない軽度の修正が施されただけの観測対象ＵＲＬのファイルをを効率よく検出対象から除外して無駄な情報提供をなくすことができるとともに、ハイパーリンクが張られていない箇所で大きな内容更新があった場合にこれを容易に認識することができる。
【００６５】
比較の結果、分解データベース２４は分解データベース２４’から更新されていることが検出されるので、メモリ１３中に作成された図１１に示すような新規情報データベース２５に情報源ＵＲＬ[0] （http://www.news/）の欄が設けられ、その変化フィールドに“true”が書き込まれる。
【００６６】
続いてＳ５で、タグ情報変化検出部１１ｄにより分解データベース２４と分解データベース２４’とが比較され、リンクに関連したタグ情報の変化が検出される。この場合、ＵＲＬが http://www.news/6.html でアンカー文字列が“Ｄ社新製品”の新規リンクと、ＵＲＬが http://www.news/7.html でアンカー文字列が“Ｅ社新製品”の新規リンクとが検出される。また、ＵＲＬは前回の http://www.news/5.html と同一であるが“Ｃ社新製品”から“Ｃ社新製品追加情報”に変化したアンカー文字列が検出される。
【００６７】
そして、今観測対象ＵＲＬとなっている情報源ＵＲＬ[0] （http://www.news/）を新規情報データベース２５中で検索するとその欄が設けられていることが分かるので、先に検出された新規リンクのアンカー文字列および変化アンカー文字列は、図１１に示すように新規情報データベース２５にそれらのリンク先ＵＲＬと組をなして書き込まれる。Ｓ６では、今回サーバコンピュータ１にアクセスを行って応答のあった観測対象ＵＲＬのＵＲＬデータベース２３が不揮発性メモリ１４に保存される。
【００６８】
次にＳ７ではＩ＝Ｉ＋１とし、Ｓ３へ戻って情報源ＵＲＬ[1] （http:/web.sharp/）についても同様に新規情報データベース２５を作成する。そして、Ｉが最後の情報源ＵＲＬ[I] となるまで、ここでは情報源ＵＲＬ[2] （http:/www.hello.nara/ ）となるまでＳ３からＳ６までのループ処理を繰り返す。この結果、情報源ＵＲＬ[1] では新規リンクも変化アンカーも検出されないが、ファイルサイズが８バイト（４文字分）変化したことが検出される。情報源ＵＲＬ[2] では新規リンクは検出されないが、“お知らせ”から“訂正のお知らせ”に変化したアンカー文字列が検出される。
【００６９】
Ｓ８では、上述のようにして全ての情報源ＵＲＬ[I] について作成された新規情報データベース２５が、出力整形部１１ｅにより重要度指数順にＨＴＭＬ形式のファイルに整形され、図１２（ａ）に示すような出力ＨＴＭＬ２６としてブラウザ２７に供給される。この出力ＨＴＭＬ２６を例えば c:\myweb\myweb.htmlで指定できるようにすると、指定後にはブラウザ２７により同図（ｂ）に示すような表示結果が表示装置１７に示される。同図において、下線が施された部分をマウスなどでポイントすれば、それぞれのファイルオブジェクトにアクセスを行うことができる。これにより、ユーザは重要な参照元ＵＲＬに出現した新規リンクおよび変化アンカー文字列を容易に認識することができるとともに、そのファイルオブジェクトに迅速にアクセスを行うことができる。
【００７０】
このように、本実施の形態では重要度指数の順に更新されたデータの参照元ＵＲＬのみが更新検出結果とともに表示されるので、表示内容はユーザにとって重要なものに限られ、更新結果に不要なものが含まれる可能性は低くなる。従って、ユーザにとって重要なＵＲＬがより的確に選択され、更新結果が効率よく表示される。
【００７１】
なお、ＨＴＭＬ形式への整形処理において、出現した新規リンクや変化アンカー文字列の数が予め設定された上限MAXLINK を越えるような場合に、上限までは上記と同様の表示を行い、MAXLINK を越える分についてはそれらが存在する旨の表示を行うとともにその詳細表示へのリンクを張るようにすることもできる。例えばMAXLINK ＝２とするとブラウザ２７により図１３のような表示が行われる。同図で“残り１件の新規リンクがあります。”がMAXLINK を越える分についての説明であり、 http://www.news/ へリンクが張られている。従って、MAXLINK を越える分についての詳細を知りたい場合には、上記表示をマウスなどでポイントすればよい。これにより、多数の検出結果があって表示装置１７上の表示領域に表示しきれなくなる場合でも、ユーザは全てを見落とすことなく容易に目視で確認することができる。
【００７２】
Ｓ９では、電子メール出力部１１ｆにより、予め不揮発性メモリ１４に記憶させておいた出力ＨＴＭＬ２６が電子メールサーバコンピュータ２に送出される。電子メールを携帯電話に向けて送出する場合は、メール本文の文字数が限られているのが普通であるが、前述のように重要度指数に基づいた検出が行われるので、最も重要な情報源ＵＲＬの新規リンクや変化アンカー文字列のみをメール受信者が閲覧することができるという利点がある。また、出力ＨＴＭＬ２６を通常のテキスト形式に変換して文字だけにしたり、予め指定した改行数で改行したりしてもよい。これにより、携帯電話の限られたメモリや表示領域に合わせて更新情報を提供することができる。
【００７３】
さらに、リンク先読みソフトウェアを使用して検出結果を電子メールにより自動ダウンロードするようにすれば、ネットワークへの限られた接続時間でも重要度の高い情報を優先的に得ることができるので移動コンピュータにおいても有用である。
【００７４】
なお、以上では、ＨＴＭＬのリンクを表すアンカータグだけを取り上げて説明したが、ＸＭＬなどで用いられる独自の定義タグについても同様の処理が可能である。例えば物品の価格を示す<price> タグを定義し、これを使用しているページがあれば<price> タグで囲まれた価格を示す数字の変化を検出することで、変化のあった物品の価格を重要度指数順に並べた一覧表を作成することもできる。
【００７５】
【発明の効果】
本発明のネットワーク情報の表示方法は、以上のように、特定クライアントコンピュータからネットワークを介してアクセスされたファイルオブジェクトのＵＲＬをリンク先に有する参照元ＵＲＬを記憶し、当該参照元ＵＲＬに対して上記ファイルオブジェクトのアクセス頻度に基づいた重要度指数を割り当て、閲覧時に上記参照元ＵＲＬのデータが前回アクセス時から更新されていることを検出すると、更新が検出されたデータの上記参照元ＵＲＬのみを上記重要度指数順に並べ、更新されたことを検出結果として上記参照元ＵＲＬに付随させて上記特定クライアントコンピュータで表示する構成である。
【００７６】
それゆえ、下位階層のファイルオブジェクト単位ではなく、あるハイパーテキストに対するユーザの重要度を最もよく反映する参照元アドレスに重要度指数を割り当てる。そして、この重要度指数の順に、更新されたデータの参照元アドレスのみを更新検出結果とともに表示する。従って、表示内容はユーザにとって重要なものに限られ、更新結果に不要なものが含まれる可能性は低くなる。以上により、ユーザにとって重要なアドレスをより的確に選択し、更新結果を効率よく表示することができるという効果を奏する。
【００７７】
また、検出結果を電子メールで送信する場合、限られたメモリしか備えていない小型の携帯端末では、最も重要なアドレスの新規リンクや変化アンカー文字列のみをメール受信者が閲覧することができ、移動コンピュータではネットワークへの限られた接続時間でも重要度の高い情報を優先的に得ることができるという効果を奏する。
【００７８】
さらに本発明のネットワーク情報の表示方法は、以上のように、閲覧時に上記参照元アドレスのデータから前回アクセス時に対する新規ハイパーリンクの出現を検出し、上記新規ハイパーリンクが張られた表示要素を検出結果として、該当するファイルオブジェクトへのハイパーリンクを張った状態で上記参照元アドレスに付随させて表示する構成である。
【００７９】
それゆえ、ユーザは重要な参照元アドレスに出現した新規ハイパーリンクを表示から容易に認識することができるとともに、表示に張られたハイパーリンクを用いてそのファイルオブジェクトに迅速にアクセスを行うことができるという効果を奏する。
【００８０】
さらに本発明のネットワーク情報の表示方法は、以上のように、閲覧時に上記参照元アドレスのデータにイメージファイルにのみハイパーリンクが張られている箇所が存在し、上記イメージファイルに張られたハイパーリンクのアドレスが所定長さ以下であると判定した場合にのみ、上記イメージファイルへのハイパーリンクを新規ハイパーリンクと見なす構成である。
【００８１】
それゆえ、イメージファイルに張られたハイパーリンクのアドレスが所定長さを越えるときにはバナー広告であるとし、それが変化したものについては新規ハイパーリンクとは見なさないようにする。これにより、ユーザにとって不要な情報をさらに削減することができるという効果を奏する。
【００８２】
さらに本発明のネットワーク情報の表示方法は、以上のように、閲覧時に上記参照元アドレスのデータから前回アクセス時と同一のハイパーリンクが張られた表示要素に対する変化を検出し、変化後の表示要素を検出結果として、該当するファイルオブジェクトへのハイパーリンクを張った状態で上記参照元アドレスに付随させて表示する構成である。
【００８３】
それゆえ、ユーザは重要な参照元アドレスで変化した表示要素を表示から容易に認識することができるとともに、表示に張られたハイパーリンクを用いてそのファイルオブジェクトに迅速にアクセスを行うことができるという効果を奏する。
【００８４】
さらに本発明のネットワーク情報の表示方法は、以上のように、上記参照元アドレスのそれぞれに対して表示する検出結果の数に上限を設け、検出結果の数が上限を越えた場合は、上限を越える検出結果が存在することをその詳細表示へのハイパーリンクを張った状態で上記特定クライアントコンピュータ表示する構成である。
【００８５】
それゆえ、多数の検出結果があって表示領域に表示しきれなくなる場合でも、ユーザは全てを見落とすことなく容易に目視で確認することができるという効果を奏する。
【００８６】
さらに本発明のネットワーク情報の表示方法は、以上のように、閲覧時に上記参照元アドレスのデータサイズを前回アクセス時のデータサイズと比較して所定値以上の差を有すると判定した場合にのみ、上記データの更新が行われていると見なす構成である。
【００８７】
それゆえ、バナー広告のみが変化したり、閲覧する必要のない軽度の修正が施されただけの参照元アドレスのデータを効率よく検出対象から除外して無駄な情報提供をなくすことができるとともに、ハイパーリンクが張られていない箇所で大きな内容更新があった場合にこれを容易に認識することができるという効果を奏する。
【００８８】
さらに本発明のネットワーク情報の表示方法は、以上のように、上記重要度指数を、過去一定期間におけるユーザの閲覧履歴から決定する構成である。
【００８９】
それゆえ、この一定期間を最近の何日かに設定するなどすれば、最近興味を持った参照元アドレスのみを検出対象とすることができる。これにより、閲覧対象の経時変化が大きいユーザにとって重要度の高いアドレスをより的確に選択することが可能になるという効果を奏する。
【００９０】
また、本発明の記憶媒体は、以上のように、前記発明のいずれかに記載のネットワーク情報の表示方法をコンピュータに実行させるためのプログラムを格納する構成である。
【００９１】
それゆえ、前記ネットワーク情報の表示方法はコンピュータで実行されることを前提にして提供され、汎用性の高いものとなるという効果を奏する。
【００９２】
また、本発明のコンピュータは、以上のように、上記記憶媒体から上記プログラムを読み込んで実行する構成である。
【００９３】
それゆえ、ユーザにとって重要なアドレスをより的確に選択し、ハイパーテキストの更新を検出して効率よく表示することが実現できるという効果を奏する。
【図面の簡単な説明】
【図１】  本発明の実施の一形態に係るコンピュータネットワークシステムの概略構成と、ネットワーク情報の表示方法を提供するソフトウェアの構成とを示すブロック図である。
【図２】  図１のソフトウェアによるネットワーク情報の表示方法を説明するフローチャートである。
【図３】  図１のコンピュータネットワークシステムにおけるクライアントコンピュータの構成を示すブロック図である。
【図４】  前回アクセスを行ったハイパーテキストの例とそのハイパーリンク構造とを示す説明図である。
【図５】  図４の状態から更新されたハイパーテキストの例とそのハイパーリンク構造とを示す説明図である。
【図６】  情報源ＵＲＬリストのデータ構造例を示す説明図である。
【図７】  クライアントコンピュータから発行される要求ヘッダの一例を示す説明図である。
【図８】  ＵＲＬデータベースの構造例を示す説明図である。
【図９】  図８のＵＲＬデータベースから得られる分割データベースの構造例を示す説明図である。
【図１０】  前回アクセス時に得られた分割データベースの構造例を示す説明図である。
【図１１】  新規情報データベースの構造例を示す説明図である。
【図１２】  （ａ）は出力ＨＴＭＬの一例を示す説明図、（ｂ）は（ａ）のブラウザによる表示結果を示す説明図である。
【図１３】  検出結果表示数に上限がある場合のブラウザによる表示結果を示す説明図である。
【図１４】  （ａ）はＨＴＭＬ文中のバナー広告の一例を示す説明図、（ｂ）は（ａ）のブラウザによる表示結果を示す説明図である。
【符号の説明】
１    サーバコンピュータ
２    電子メールサーバコンピュータ
３    クライアントコンピュータ（コンピュータ）
１１    更新情報提示ソフトウェア
１１ａ  情報源ＵＲＬソート部
１１ｂ  ネットワークファイルアクセス部
１１ｃ  ファイル比較部
１１ｄ  タグ情報変化検出部
１１ｅ  出力整形部
１１ｆ  電子メール出力部
１４    不揮発性メモリ（記憶媒体）
２１    情報源ＵＲＬリスト
２２    観測対象ＵＲＬリスト
２３    ＵＲＬデータベース
２４    分解データベース
２４’  分解データベース
２５    新規情報データベース
２６    出力ＨＴＭＬ
２７    ブラウザ
【図１】
0003664917.tif 000002
【図２】
0003664917.tif 000003
【図３】
0003664917.tif 000004
【図４】
0003664917.tif 000005
【図５】
0003664917.tif 000006
【図６】
0003664917.tif 000007
【図７】
0003664917.tif 000008
【図８】
0003664917.tif 000009
【図９】
0003664917.tif 000010
【図１０】
0003664917.tif 000011
【図１１】
0003664917.tif 000012
【図１２】
0003664917.tif 000013
【図１３】
0003664917.tif 000014
【図１４】
0003664917.tif 000015